(57)【特許請求の範囲】
【請求項１】
積載物の載置面を有する棚板と、
前記棚板の前縁部に装着される積載物落下防止部材と、
前記棚板の一部に係止される係止部材と、
前記積載物落下防止部材と前記係止部材を合わせて固定する固定部材と、
を有し、
前記積載物落下防止部材は、
前記載置面の前縁端部上方に突出する積載物落下防止部と、
前記載置面に置かれた前記積載物における間口側の側面に接触可能な積載物移動防止部と、
を有することを特徴とする落下防止機構。
【請求項２】
前記係止部材は、
前記棚板の一部に引っ掛けられる係止部と、
前記積載物落下防止部材と合わせられる結合部と、を有し、
前記固定部材は、
前記積載物落下防止部材の一部と前記結合部を挟み込んで結合する、
請求項１記載の落下防止機構。
【請求項３】
前記積載物落下防止部は、前記棚板の前面に沿って上方に突出する山状部と当該山状部の頂点から前記載置面に向かう下り傾斜面により形成され、
前記積載物移動防止部は、前記傾斜面の端部と前記載置面との段差により形成される、
請求項１または２記載の落下防止機構。
【請求項４】
前記段差は、前記載置面上に０．５ｍｍ乃至５ｍｍの高さで形成されている、
請求項３記載の落下防止構造。
【請求項５】
前記山状部は、前記載置面から２ｍｍ乃至７ｍｍの高さで形成されている、
請求項３または４記載の落下防止構造。
【請求項６】
前記下り傾斜面の先端は、前記棚板の前面からの３ｍｍ乃至８ｍｍの位置にある、
請求項３または４記載の落下防止構造。
【請求項７】
前記係止部は、前記棚板の立ち上がり面に係合する屈曲部である、
請求項２乃至５のいずれかに記載の落下防止構造。
【請求項８】
積載物が収納される載置面を備える棚板と、前記棚板を支持する棚受けと、前記棚受けを垂直方向において支持する支持部材と、と有する棚であって、
請求項１乃至６のいずれかに記載の落下防止構造を備えることを特徴とする棚。
【発明の詳細な説明】
【技術分野】
【０００１】
本発明は、積載物の落下防止構造、同構造を備える棚に関するものである。
【背景技術】
【０００２】
地震などによる震動が棚に加わると、棚板上に収納されている物（積載物）が間口から落下することがある。このような積載物の落下を防止するために、棚板の前縁部が載置面よりも高くなるような山状の部材を取り付けて、棚板の間口側からの積載物の落下を防ぐ落下防止構造が知られている（例えば、特許文献１を参照）。
【０００３】
特許文献１に記載されている落下防止構造は、棚板の前縁部に後付けできるように、棚板の上面（載置面）と下面（棚受けに載せられる脚部）とを挟み込んで固定される構造を有している。当該落下防止構造は、固定力を確保するために、棚板の前端部分から一定以上の面積をもって載置面に押し当てられる面状の部分が必要になる。この面状の部分における載置面への押圧力や、面状の部分と載置面との摩擦力等によって、当該落下防止構造は棚板の前縁部に固定される。
【先行技術文献】
【特許文献】
【０００４】
【特許文献１】実開平０６−５５４４６号公報
【発明の概要】
【発明が解決しようとする課題】
【０００５】
上記の面状の部分は、載置面の前端部分から一定の幅を占有する。この占有部分によって、従来の落下防止構造を取り付けた後の棚板の載置面は、奥行き寸法が短縮されて、積載物の収納スペースが狭くなる。
【０００６】
従来の落下防止構造を取り付けた棚板において、仮に、面状の部分の上に積載物を載せるようにして収納すると、震動によって積載物が載置面上を前後方向に滑って移動しやすくなる。そうすると、積載物が前縁部の山状部位を超えて落下しやすくなる。これを防止するには山状部位をより高くすれはよいが、山状部位を高くすると、積載物の収納や取出しに対する利便性が低下する。
【０００７】
さらに、従来の落下防止構造は、棚板の前縁部に対して確実に固定するためにネジ等を用いて棚板と締結させる。このために棚板には、落下防止構造と合うようにネジ穴を加工する必要がある。したがって、従来の落下防止構造は、棚板への固定を強固にするには、取り付けの容易性が損なわれる構造である。
【０００８】
上記のように従来の落下防止構造は、取り付けは容易な構造であっても、積載物の収納スペースを圧迫し収納効率を阻害するものになる。収納効率を下げないようにするため、落下防止構造の一部に積載物を載せるようにして収納した場合は、積載物が落下しやすくなる。落下防止効果を高めるには、落下防止構造の山状部位を高くすればよいが、収納時の利便性が損なわれ、より確実に固定するには棚板への加工を要するので強固な固定を容易にすることは難しい。
【０００９】
本発明は上記のような従来技術の課題を解決するためになされたものであって、積載物を収納している棚板にも容易にかつ確実に取り付けて固定することができ、収納スペースを圧迫することもなく、確実に落下を防止することができる落下防止構造、棚板および棚を提供することを目的とする。
【課題を解決するための手段】
【００１０】
本発明は、積載物の載置面を有する棚板と、前記棚板の前縁部に装着される積載物落下防止部材と、前記棚板の一部に係止される係止部材と、前記積載物落下防止部材と前記係止部材を合わせて固定する固定部材と、を有し、前記積載物落下防止部材は、前記載置面の前縁端部上方に突出する積載物落下防止部と、前記載置面に置かれた前記積載物における間口側の側面に接触可能な積載物移動防止部と、を有することを最も主な特徴とする。
【発明の効果】
【００１１】
本発明によれば、積載物を収納している棚板にも容易にかつ確実に取り付けて固定することができ、収納スペースを圧迫することもなく、確実に落下を防止することができる。
【図面の簡単な説明】
【００１２】
【図１】本発明に係る落下防止構造を備える棚の例を示す正面図である。
【図２】上記棚が備える棚板の例を示す斜視図である。
【図３】上記棚板の側面図である。
【図４】本発明に係る落下防止構造の例を示す拡大側面図である。
【図５】上記落下防止構造の一部拡大側面図である。
【図６】上記落下防止構造の一部拡大斜視図である。
【図７】上記落下防止構造の別の例を示す側面図である。
【発明を実施するための形態】
【００１３】
以下、本発明に係る落下防止構造の実施形態について説明する。まず、落下防止機構を備える収納棚の実施形態について説明する。
【００１４】
●収納棚の構成
図１に示すように収納棚である棚１００は、落下防止機構である落下防止具１０を有する棚板２０と、棚受け３０と、支柱４０と、を有してなる。棚板２０は、積載物５０を載置する載置面２１を有する面部材であって、前面の縁部分に落下防止具１０が装着されている。棚受け３０は、棚板２０を所定の高さ位置で支持する支持部材である。支柱４０は、棚受け３０を所定の高さ位置で係止する垂直方向の支持部材である。以上の構成を有してなる棚１００は、例えば、前後方向（奥行方向）において複数の支柱４０を有する複柱式の収納棚である。
【００１５】
なお、棚１００は以下に説明する特徴を備える落下防止具１０を取り付け可能な棚板２０を有するものであればよく、前後方向（奥行方向）において単数の支柱４０に棚受け３０が固定されてなる単柱式の収納棚でもよい。
【００１６】
落下防止具１０が取り付けられている棚板２０は、棚受け３０に支持される態様において、棚板２０の前縁が後縁よりも高くなる。すなわち、棚板２０は、棚受け３０に支持されている状態では、載置面２１が奥行き方向に向かって下り傾斜になる。載置面２１の下り傾斜構造については、後述する。
【００１７】
なお、落下防止具１０は、棚板２０に対して後付けできるので、棚１００が有する全ての棚板２０に取り付けてもよいし、一部にのみ取り付けてもよい。
【００１８】
図２に示すように棚板２０は、長手方向と短手方向に平面状に広がる載置面２１を有する板状の面部材である。棚板２０は、長手方向の両端部に折り曲げ部２３を有している。折り曲げ部２３は、載置面２１の長手方向の端部から延出させた部分を下方に折り曲げて形成されている。折り曲げ部２３は、棚受け３０の受け部分に乗せられて、棚板２０を所定の高さ位置で支持する脚部を構成する。棚板２０の短手方向の一方の端部（前縁部分）には落下防止具１０が取り付けられていて、落下防止具１０は棚板２０の長手方向の長さと同程度の長さを有する。したがって、落下防止具１０は、棚板２０の長手方向のほぼ全体にまたがって取り付けられる。
【００１９】
図３は、棚板２０を長手方向の端部側から見た側面図である。図３に示すように棚板２０は、積載物５０が載置される載置面２１と、前方脚部２２と、折り曲げ部２３と、後方脚部２４と、を有してなる。
【００２０】
前方脚部２２と後方脚部２４は、それぞれ棚板２０の短手方向両端部分を下方に折り曲げ、さらに、所定の長さ位置で内側に折り曲げた後に、所定の長さ位置で端部を上方に折り曲げて形成されている。前方脚部２２と後方脚部２４は、側面視の形状が「変形したコの字」型になっている。前方脚部２２の内側の立ち上がり部２２１には、係止部材である第２部材１２が引っ掛けられていて、これと結合されることで、積載物落下防止部材である第１部材１１は棚板２０の前縁部分に固定される。
【００２１】
前方脚部２２と後方脚部２４は、棚板２０に強度を付加する補強部を兼ねている。また、前方脚部２２と後方脚部２４は、棚受け３０の受け部分に乗せられて、棚板２０を所定の高さ位置で支持する脚部を構成する。
【００２２】
●落下防止構造の構成
次に、本発明に係る落下防止構造の詳細について説明する。図４に示すように、落下防止構造を構成する落下防止具１０は、積載物落下防止部材である第１部材１１と、係止部材である第２部材１２と、固定部材である結合部材１３と、を有してなる。
【００２３】
第１部材１１は、棚板２０の長手方向の長さと同等の長さ、またはそれよりも若干短い長尺の部材であって、傾斜部１１２と、前面部１１４と、底面部１１５と、を有してなる。第１部材１１は、例えば金属製であるが、これに限られるものではない。
【００２４】
前面部１１４は、棚板２０の前方脚部２２の前面に沿って接触していて、棚板２０の前縁上部から前縁下部を覆う第１平面部である。前面部１１４の高さ方向の上端には、山状部１１１が形成されている。
【００２５】
また、山状部１１１に連なり棚板２０の奥行き側の斜め下方に向けて形成されている傾斜面である傾斜部１１２は、終端である傾斜端部１１３が載置面２１の上方の所定の高さ位置にある。傾斜端部１１３は、山状部１１１が棚板２０の前縁部上方に固定される状態において、載置面２１上であって棚板２０の前縁部よりも奥側の位置にある。傾斜端部１１３と載置面２１との間には若干の隙間が形成されている。
【００２６】
山状部１１１および傾斜部１１２は、載置面２１に収納されている積載物５０が地震などの震動によって棚板２０の前縁から落下することを防止する積載物落下防止部を形成する。当該積載物落下防止部は、載置面２１の前縁端部上方に突出するように形成されている。また、傾斜部１１２および傾斜端部１１３は、積載物５０が震動によって棚板２０の前縁方向に移動しようとする動きを防止する積載物移動防止部を形成する。当該積載物移動防止部は、載置面２１に置かれた積載物５０の間口側（前側）側面に接触可能な位置に形成されている。
【００２７】
載置面２１に収納されている積載物５０は、震動によって載置面２１の上を間口に向かって移動したとしても積載物移動防止部によって、その移動は止められる。積載物５０が、仮に積載物移動防止部では止まらないとしても、積載物落下防止部によって棚板２０からの落下を防ぐことができる。
【００２８】
底面部１１５は、前面部１１４の下端を奥行き側に向けて略９０度程度折り曲げて形成されている。底面部１１５は、前方脚部２２の下面の平面部分外側と接触し、前方脚部２２よりも長い奥行き寸法を有してなる。底面部１１５の一部には、固定部材である結合部材１３を貫通させる孔が形成されている。
【００２９】
第２部材１２は、係止部である引掛け部１２１と、結合部である平面部１２２と、を有してなる。引掛け部１２１は、棚板２０の前方脚部２２の立ち上がり面である立ち上がり部２２１に係合する屈曲部であって、立ち上がり部２２１に引っ掛かる折り返し形状を有する係止部である。平面部１２２は、第１部材１１の底面部１１５の上面側に沿って接し、底面部１１５の端部から前方脚部２２の立ち上がり部２２１に至る。平面部１２２にも結合部材１３が貫通する孔が形成されている。第２部材１２の立ち上がり部２２１を引掛け部１２１に引っ掛けて、平面部１２２と底面部１１５の孔の位置を合わせて結合部材１３を用いて結合させると、第１部材１１は第２部材１２とともに棚板２０の前縁において確実に固定される。
【００３０】
●落下防止構造の取り付け方法
次に、落下防止具１０を棚板２０に取り付ける方法について図４を参照しながら説明する。まず、第１部材１１の傾斜端部１１３を載置面２１に当てた状態で、底面部１１５を前方脚部２２の下面外側（棚板底面部２２２）に対して滑らせながら押し込んで、第１部材１１の前面部１１４の内面が棚板２０の前方脚部２２の外側の面に面接触する状態にする。
【００３１】
次に、第２部材１２の引掛け部１２１を前方脚部２２の立ち上がり部２２１に引っ掛けて、平面部１２２と第１部材１１の底面部１１５の上面が接する状態にする。
【００３２】
最後に、底面部１１５と平面部１２２に設けられている孔に、結合部材１３を挿入して、第１部材１１と第２部材１２を締結し結合させる。これによって、棚板２０の立ち上がり部２２１は引掛け部１２１によって第１部材１１の底面部１１５に押し付けられて上下方向に固定する力が加わる。また、引掛け部１２１が立ち上がり部２２１の前後方向の移動も規制するので、第１部材１１と棚板２０の前面部１１４は接触した状態で固定される。
【００３３】
以上のように、棚板２０に取り付け可能な落下防止具１０は、すでに使用している棚１００にも後付けすることができる。落下防止具１０の取り付け方法は、上記のとおり、容易な方法である。すなわち、棚板２０の前方の縁付近に第１部材１１の一部（傾斜端部１１３）を当ててから奥行き方向に押し込んだ後に、第２部材１２を棚板２０に取り付けて、結合部材１３を用いて締結するだけである。
【００３４】
結合部材１３は、第１部材１１の下から上に向けて挿入するので、第１部材１１と第２部材１２を結合する結合作業を容易に行うことができる。しかも、結合部材１３によって、第１部材１１は、棚板２０に係止されている第２部材１２と強固に締結される。このように、落下防止具１０は、棚板２０に対して容易に取り付けることができ、かつ、容易に強固に固定することができ、棚板２０に対する加工を必要としないものである。
【００３５】
なお、結合部材１３として種々の締結部材を用いることができる。例えば、結合部材１３としてプッシュリベットを用いることができる。この場合、底面部１１５と平面部１２２に形成される孔はいずれもネジ孔にせずとも、上記の底面部１１５側から上記の平面部１２２の孔にプッシュリベットを挿入し押し込めば、第１部材１１と第２部材１２を結合することができる。
【００３６】
また、結合部材１３としてネジを用いることもできる。この場合、第２部材１２の平面部１２２に形成される孔をネジ穴にしておけば、第１部材１１に挿入した結合部材１３を上記のネジ孔に対してねじ込むことで、第１部材１１と第２部材１２を結合することができる。
【００３７】
●落下防止構造の効果
図５は、落下防止具１０を棚板２０に取り付けた状態の一部分を拡大した拡大側面図である。図５に示すように、落下防止具１０を棚板２０の前縁に取り付けると、第１部材１１の山状部１１１は載置面２１から「高さｈ」に相当する位置に固定される。ここで「高さｈ」は例えば、２ｍｍ乃至７ｍｍ程度になればよい。好適な高さｈは、約５ｍｍである。
【００３８】
第１部材１１は、山状部１１１を頂点として「傾斜角θ」を形成する傾斜部１１２を有している。傾斜部１１２は、山状部１１１から載置面２１に向かって奥行き方向に傾斜する面である。傾斜部１１２は、棚板２０の間口から積載物５０を収納するときに、積載物５０の一部を載置面２１に向けて滑落させる斜面になる。したがって、傾斜部１１２の傾斜角θは、積載物５０が棚板２０の奥側に向かって滑落するのに適した角度になっている。また傾斜角θは、積載物５０を間口から取り出すときには積載物５０の下端角を当てながら滑らせて持ち上げやすい角度になっている。傾斜角θは、例えば約５３度が望ましい。
【００３９】
傾斜部１１２の先端である傾斜端部１１３は、第１部材１１の前面外側から「奥行きｄ」に相当する位置にある。この奥行きｄが長すぎると、積載物５０を収納するスペースを圧迫し、棚１００における収納効率を低下させる。そこで、傾斜端部１１３は載置面２１上の奥行き寸法を縮めすぎない程度の寸法が望ましい。言い換えると奥行ｄの寸法は、積載物５０の収納スペースを圧迫しない程度の寸法であればよい。なお、奥行ｄの寸法は、約３〜８ｍｍ程度が好適である。
【００４０】
傾斜端部１１３は、載置面２１上において積載物５０の下端付近に接触する段差Ｓを形成する。段差Ｓの高さ寸法は、第１部材１１の厚みと、山状部１１１の高さｈ、傾斜角θ、および載置面２１から傾斜端部１１３までの隙間の寸法によって決まる。この段差Ｓの高さ寸法は、およそ０．５ｍｍ乃至５ｍｍ程度が望ましい。載置面２１と傾斜端部１１３との間に形成される上記の隙間は、第２部材１２の引掛け部１２１に棚板２０の立ち上がり部２２１の端部が接した状態で、棚板２０が第１部材１１と第２部材１２で挟み込まれている場合に生じる。
【００４１】
棚１００がいわゆるロック装置を有する移動棚であれば、地震を感知したときにはロック装置がリリースされて、走行方向において免震状態になる。免震状態になった移動棚は、各棚が震動に応じて移動可能な状態になって震動を受け流すことができる。
【００４２】
しかし、初期微震動が長く続くような場合では、ロック装置の感度によっては免震状態にならない場合があり、また、免震状態になったとしても各棚の車輪の追従性との関係で震動を受け流しきれないことがある。このような場合、微震動のエネルギーは棚１００に加わり続けるから、積載物５０は収納場所によって静荷重から動荷重に変化する。
【００４３】
積載物５０が動荷重に変化すると、載置面２１の上を滑るように動く状態になり、これによって、載置面２１の上を前後方向に移動する。棚板２０の奥側には背受けがあるので、積載物５０は、主として間口面（前面）側に向かって移動する。
【００４４】
したがって、上記のように棚１００に微震動が加わり続けることで積載物５０は、載置面２１上を滑って間口方向に移動し、または震動の具合によって、載置面上において積載物５０が上下方向に（飛び跳ねるように）移動する。特に、積載物５０が書籍である場合は、ロッキング現象が生じやすい。
【００４５】
以上のような微震動による積載物５０の動荷重化や、ロッキング現象そのものを防ぐことができない場合であっても、棚板２０の前面に落下防止具１０を取り付けておけば、積載物５０が棚板２０の間口から落下することを防止することができる。落下防止具１０の傾斜端部１１３は、震動によって積載物５０が間口方向に移動しようとしても、段差Ｓによってそれを阻止する。この段差Ｓの高さ寸法は積載物５０の高さ寸法に対して非常に低いものである。しかしながら、微震動によって積載物５０が移動する勢いは強くないため、上記の段差Ｓのような僅かな寸法の段であっても、積載物５０が棚板２０前端へ移動することを阻止することができる。
【００４６】
また、第１部材１１は、傾斜端部１１３と載置面２１との間に隙間を有しているから、傾斜端部１１３に積載物５０が当たったときに、前方に変位できる。この変位によって積載物５０の前方への移動エネルギーは吸収される。したがって、震動が加わり続けて積載物５０が間口に向かって移動しようとしても、段差Ｓにおいて積載物５０の移動は阻止される。なお、第１部材１１の変位は、結合部材１３辺りを支点とした回転方向に生ずるものである。
【００４７】
また、山状部１１１の高さｈは、微震動によって積載物５０が上下移動したときに超えない寸法に設定されている。したがって、段差Ｓを超えて積載物５０が間口方向に移動したとしても、この積載物落下防止部である山状部１１１によって、積載物５０の落下を効果的に防ぐことができる。
【００４８】
図６は、落下防止具１０を棚板２０に取り付けて棚受け３０に支持させている状態を示す斜視図である。図６において、棚受け３０の一部は図示を省略している。図６に示すように、棚板２０の前面に第１部材１１を取り付けて、棚板２０の立ち上がり部２２１に第２部材１２を引っ掛けて、結合部材１３を用いて、第１部材１１と第２部材１２とを結合させて棚受け３０に乗せる。
【００４９】
したがって、落下防止具１０を取り付けた棚板２０は、棚受け３０の受け部分に第１部材１１の底面部１１５が接して支持されるから、載置面２１に積載物５０を置くとその荷重が係り、第１部材１１と第２部材１２の結合はより強くなる。これによって、第１部材１１は棚板２０に対して、より強固に固定される。このように強固に固定されることで、仮に積載物５０の下端付近が第１部材１１の段差Ｓに勢い良くあたったとしても、落下防止具１０が棚板２０から外れることはない。
【００５０】
また、載置面２１の間口側は奥行側に比べて、第１部材１１の底面部１１５の厚さ分だけ棚受け３０に対し高くなる。すなわち、棚受け３０に直接乗せられる後方脚部２４に比べると、前方脚部２２は底面部１１５の厚さに相当する分だけ嵩上げされて、載置面２１は間口側から奥行側に向かう下り傾斜面になる。
【００５１】
載置面２１が上記のような下り傾斜面になることで、震動の影響で積載物５０が静荷重から動荷重へと変化したときに、載置面２１上の積載物５０は、棚板２０の奥の方に向かって移動することになる。すなわち、載置面２１を傾斜させることができる落下防止具１０によれば、積載物５０の落下防止効果は、より向上する。
【００５２】
●固定部材の効果
固定部材である結合部材１３によって、積載物移動防止部である傾斜部１１２および傾斜端部１１３と、積載物落下防止部である傾斜部１１２および山状部１１１は、載置面２１の上方の所定の位置に固定される。また、積載物移動防止部である傾斜部１１２と傾斜端部１１３は、載置面２１の前縁部近傍であって、積載物落下防止部よりも載置面２１に近く、かつ、積載物落下防止部よりも載置面２１上の奥側に配置される。すなわち、結合部材１３によって、載置面２１の間口側に積載物５０の落下を防止する構造を容易に固定することができる。
【００５３】
●落下防止構造の別の構成例
次に、本発明に係る落下防止機構の別の実施形態について説明する。なお、すでに説明をした落下防止具１０と同様の構成については同じ符号を付し、詳細な説明を省略する。
【００５４】
図７に示すように、本実施形態に係る落下防止具１０は、固定部材としてＵ字状に折り返してなるクリップ部材１３１を有してなる。クリップ部材１３１は、バネ性を有する部材であって、第１部材１１の底面部１１５と第２部材１２の平面部１２２の端部に当てて棚板２０の前方に向かって押しこみ、第１部材１１と第２部材１２を挟み込むことによって結合する。
【００５５】
クリップ部材１３１は、上記のように第１部材１１と第２部材１２の端部をまとめて挟み合わせて固定するものであれば、特定の形状に限るものではなく、また、金属性の部材であってもゴム製の部材であってもよい。
【００５６】
固定部材をクリップ部材１３１によって構成することで、落下防止具１０を、棚板２０に対してより容易かつ強固に固定することができる。すなわち、棚板２０に第１部材１１を嵌めて、第２部材１２を立ち上がり部２２１に引っ掛けた状態で、第１部材１１と第２部材１２の端部にクリップ部材１３１を嵌めればよいだけでよい。
【符号の説明】
【００５７】
１０    落下防止具
１１    第１部材
１２    第２部材
１３    結合部材
２０    棚板
２１    載置面
５０    積載物
１００  棚
１１１  山状部
１１２  傾斜部
１１３  傾斜端部
【図１】
0006496943.tif 000002
【図２】
0006496943.tif 000003
【図３】
0006496943.tif 000004
【図４】
0006496943.tif 000005
【図５】
0006496943.tif 000006
【図６】
0006496943.tif 000007
【図７】
0006496943.tif 000008